Podtech/llm-jp-corpus-v4-ja_patent huggingface dataset:
(57)【要約】      （修正有）【課題】描画する際に用いるエアブラシにおいて、指が疲れる事なく、微妙な塗料の噴出に必要な指のコントロールを可能とするエアブラシ用のレバーを提供する。【解決手段】エアブラシ本体１にレバー９がＢを支点として取り付けられている。このレバー９は充分な長さがある。Ｂを支点とし、Ａを力点として、このレバーを指で後方に引くことで作用点Ｃが後退し、エアーホース３から圧縮された空気が流れ出す。さらにレバーを後方に引くことで、内部のニードル（針）４が後方に引き下げられる。その結果、塗料カップ５から塗料６が流れ出し、エアブラシ本体の先端部分７から空気ともに塗料が噴出８（吹き付け）することで、描画が可能となる。【選択図】図１
0003155423.tif 000002
【実用新案登録請求の範囲】
【請求項１】
長さを延長したことを特徴とするエアブラシ用レバー
【考案の詳細な説明】
【技術分野】
【０００１】この考案はエアブラシで描画する際に用いるエアブラシのレバー部分の形状に関する。
【背景技術】
【０００２】従来のエアブラシのレバーの形状は図２に示すようにエアブラシ本体１に、レバー２が設けられたものである。Ｙを支点とし、Ｘを力点として、このレバーを指で後方に引くことで作用点Ｚが後退し、エアーホース３から圧縮された空気が流れ出す。さらにレバーを後方に引くことで、内部のニードル（針）４が後方に引き下げられる。その結果、塗料カップ５から塗料６が流れ出し、エアブラシ本体の先端部分７から空気と共に塗料６が噴出８（吹き付け）することで、描画が可能となる。
【考案の開示】
【考案が解決しようとする課題】
【０００３】しかしながら、以上の技術によれば、次のような欠点があった。
（イ）レバーが短いために指を１本しか掛けられず、長時間の作業では指の疲労が激しく      苦痛である。
（ロ）ミリ単位で指の引き具合をコントロールするのは極めて難しく高度な熟練を必要と      する。【０００４】そこでこの考案はこれらの欠点を解決するために、軽い力で操作でき、微妙なコントロールが容易になるレバー形状を提供することを課題とする。
【課題を解決するための手段】
【０００５】以上の課題を解決するために、第一考案はエアブラシ用レバーの長さを延長したことを特徴とするエアブラシ用レバーである。
【考案の効果】
【０００６】第一考案によれば、エアブラシ用レバーの長さを延長した形状にすることによって、指の疲労を防ぎ、かつ、微妙なコントロールが容易となることで操作性が格段に向上する。
【図面の簡単な説明】
【０００７】
【図１】この考案の一実施形態を示す正面図である。
【図２】従来技術を示す正面図である。
【図３】この考案の「てこの原理」を示す図である。
【図４】この考案の他の実施形態を示す正面図である。
【考案を実施するための形態】
【０００８】この考案の一実施形態を、図１に示す。
エアブラシ本体１にレバー９がＢを支点として取り付けられている。このレバー９は充分な長さがある。Ｂを支点とし、Ａを力点として、このレバーを指で後方に引くことで作用点Ｃが後退し、エアーホース３から圧縮された空気が流れ出す。さらにレバーを後方に引くことで、内部のニードル（針）４が後方に引き下げられる。その結果、塗料カップ５から塗料６が流れ出し、エアブラシ本体の先端部分７から空気ともに塗料が噴出８（吹き付け）することで、描画が可能となる。
【０００９】指でレバーを引く際の支点、力点、作用点の関係図を図３に示す。
作用点Ｃにかかる力は、てこの原理にあるように、力点Ａから支点Ｂへの長さが長いほど、力点Ａでの力は少なくてすむ。作用点Ｃの可動範囲Ｋが一定の場合、力点での可動範囲ＤとＰの関係は常にＤ＞Ｐである。そして、作用点Ｃでの動きを微妙にコントロールするには、力点Ａでの指の動きをどれだけコントロールできるかにある。力点Ａから、支点Ｂへの長さが充分であればあるほど、力点での可動範囲は大きくなる。従って微妙な指のコントロールが容易となる。
【００１０】「実施形態の効果」
この実施形態によれば、長さが充分なため複数の指をかけることが可能で操作が軽く、かつ、微妙なコントロールが容易となる。
【００１１】「他の実施形態」
図１の実施形態ではレバーには凹凸が無いが、他の実施形態では、図４のように、指がかけやすいようレバーに凹凸が設けてあってもよい。
【符号の説明】
【００１２】１、エアブラシ本体    ２、従来のレバー    ３、エアーホース    ４、ニードル（針）５、塗料カップ    ６、塗料    ７、先端口    ８、噴出（吹き付け）
９、この考案のレバー
Ａ、この考案の力点    Ｂ、この考案の支点    Ｃ、この考案の作用点
Ｄ、この考案の力点の可動範囲
Ｋ、作用点の可動範囲
Ｐ、従来の力点の可動範囲
Ｘ、従来の力点    Ｙ、従来の支点    Ｚ、従来の作用点
【図１】
0003155423.tif 000003
【図２】
0003155423.tif 000004
【図３】
0003155423.tif 000005
【図４】
0003155423.tif 000006
【手続補正書】
【提出日】平成21年8月13日(2009.8.13)
【手続補正１】
【補正対象書類名】実用新案登録請求の範囲
【補正対象項目名】全文
【補正方法】変更
【補正の内容】
【実用新案登録請求の範囲】
【請求項１】
エアブラシの指をかける部分に複数の指をかける事を可能とする長さを持つ事を特徴とするエアブラシ用レバー
(57)【要約】      （修正有）【課題】トランプのカードに環境問題の解決に関する情報を表示して、環境問題について学習する教材として利用できるトランプカードを提供する。【解決手段】ＪＯＫＥＲ２枚を含む５４枚のトランプのカードに環境問題に関する事例や解決に向けての啓発的な情報を記載し、遊戯者がトランプカードの内容を見ることで環境教育できるようにしてトランプカードを構成する。【選択図】図１ａ
0003155426.tif 000002
【実用新案登録請求の範囲】
【請求項１】
トランプのカードに環境問題解決に関する情報を表示したトランプ。
【考案の詳細な説明】
【技術分野】
【０００１】この考察は、トランプのカードに環境問題解決に関する情報を表示したトランプに関するものである。
【背景技術】
【０００２】従来、トランプのカードには環境問題解決に関する情報が表示されておらず、トランプは環境問題について学習する教材としては利用されていなかった。
【考案の概要】
【考案が解決しようとする課題】
【０００３】これは、次のような欠点があった。従来、トランプのカードには環境問題の解決に関する情報が表示されておらず、トランプは環境問題について学習する教材としては利用されていなかった。本考察は、以上のような欠点をなくすためになされたものである。
【課題を解決するための手段】
【０００４】トランプのカードに環境問題解決に関する情報を表示し、環境問題解決について学習する教材としてトランプを利用できるようにする。
【考案の効果】
【０００５】トランプが環境問題について学習する教材になり、遊びながら環境問題の解決に関心を持ち、学力の向上が期待できる。
【図面の簡単な説明】
【０００６】
【図１】本考察の正面図である。
【図２】本考察の背面図である。背面図全て同一につき１枚のみあらわした。
【図３】本考察の右側面図である。右側面図は全て同一につき１枚のみあらわした。左側面図は右側面図と同一であるため省略してある。
【図４】本考察の平面図である。平面図は全て同一につき１枚のみあらわした。底面図は平面図と同一であるため省略してある。
【考案を実施するための形態】
【０００７】トランプのカードの正面に環境問題解決に向けた文章や絵柄を表示する。
【実施例】
【０００８】トランプのカードの正面に表示されている環境問題解決に向けた文章や絵柄を見て、環境問題に関する基礎知識を学習する。このように遊びながら環境問題解決について学習する教材にする。
【産業上の利用可能性】
【０００９】トランプに表示された環境問題解決に関する知識を学ぶ新しい遊び方の開発が可能になる。
【図１ａ】
0003155426.tif 000003
【図１ｂ】
0003155426.tif 000004
【図１ｃ】
0003155426.tif 000005
【図１ｄ】
0003155426.tif 000006
【図２】
0003155426.tif 000007
【図３】
0003155426.tif 000008
【図４】
0003155426.tif 000009
【手続補正書】
【提出日】平成21年8月20日(2009.8.20)
【手続補正１】
【補正対象書類名】実用新案登録請求の範囲
【補正対象項目名】全文
【補正方法】変更
【補正の内容】
【実用新案登録請求の範囲】
【請求項１】
ＪＯＫＥＲ２枚を含む５４枚のトランプのカードに環境問題に関する事例や解決に向けての啓発的な情報を記載し、遊技者がトランプカードの内容を見ることで環境教育できるようにしたトランプカード。
(57)【要約】      （修正有）【課題】電気配線工事等でケーブルが拠らないように引き出しながら施設し、又容易に巻き戻すことが出来る電線引き出し装置を提供する。【解決手段】電線を網皿上（電線受け）に乗せ、寝せてある３本のアームを引き起こし、アームはケーブルセット状態で上部が回転の中心からやや外側に傾いており、引き出すと同時に上昇しながらケーブルが出てくるようにした電線引き出し装置。さらに、電線引き出し装置においては、回転盤の上に正方形の網皿上を取り付けることによって電線を受ける能力は、網皿上の対角の寸法まで受ける事が可能で、回転盤の直径以上の幅で収まる。尚且つ網皿上は、格子状の網なので４角のどこでも引っ掛け、吊す事が出来る。【選択図】図２
0003155425.tif 000002
【実用新案登録請求の範囲】
【請求項１】
電線を網皿上（電線受け）に乗せ、寝せてある３本のアームを引き起こし、アームはケーブルセット状態で、上部が回転の中心からやや外側に傾いており、引き出すと同時に上昇しながらケーブルが出てくるようにした電線引き出し装置。
【請求項２】
請求項１の電線引き出し装置において、回転盤の上に正方形の網皿上を取り付けることによって電線を受ける能力は、網皿上の対角の寸法まで受ける事が可能とし、収納スペースは、回転盤の直径以上の幅で収まり尚且つ網皿上は、格子状の網なので、４角どこでも引っ掛け、吊るす事が出来るようにした電線引き出し装置。
【請求項３】
請求項２の電線引き出し装置において、網皿下はケーブルが少なくなりなった場状況によって、電線引き出し装置が移動するのを防ぐため、紐などで容易に固定  することが出来るようにした電線引き出し装置。
【考案の詳細な説明】
【技術分野】
【０００１】  電気配線工事等でケーブルが拠らないように引き出しながら施設し、又容易に巻き戻すことが出来る電線引き出し装置に関する。
【背景技術】
【０００２】  従来下記特許文献１に示すように、電線引き出し装置はしられている。しかしながら、使い勝手がよくなかった
【先行技術文献】
【非特許文献】
【０００４】
【非特許文献１】  ｈｔｔｐ：ｗｗｗ．ｋｐｔ．ｃｏ．ｊｐ／ｄｅｔａｉｌｅｄ＿１．ｐｈｐ
【考案の概要】
【考案が解決しようとする課題】
【０００５】  本考案は使い勝手のよい電線引き出し装置を提供しようとするものである。
【課題を解決するための手段】
【０００６】  本考案の電線引き出し装置においては、電線を（２）網皿上（電線受け）に乗せ、寝せてある３本のアーム（５）アームを引き起こし、（５）アームはケーブルセット状態で上部が回転の中心からやや外側に傾いるので、引き出すと同時に上昇しながらケーブルが出てくる。【０００７】  さらに、本考案の電線引き出し装置においては、（６）回転盤の上に正方形の（２）網皿上を取り付けることによって電線を受ける能力は、（２）網皿上の対角の寸法まで受ける事が可能で、（６）回転盤の直径以上の幅で収まる。尚且つ（２）網皿上は、格子状の網なので４角どこでも引っ掛け、吊るす事が出来る。【０００８】  さらに、本考案の電線引き出し装置においては、（３）網皿下は、ケーブルが少なくなり軽量になった場合、状況によって、（１）電線リールが移動するのを防ぐため、紐などで容易に固定することが出来る。
【考案の効果】
【０００９】  本考案は以上の構成により使い勝手のよい電線引き出し装置を提供することが出来る。
【図面の簡単な説明】
【００１０】
【図１】  装置アームの２つの状態を示したもの
【図２】  装置のアームを倒した状態の上面図
【図３】  装置の考案を引き起こした状態の考案図
【考案を実施するための形態】
【００１１】  本考案においては、電線を（２）網皿上（電線受け）に乗せ、寝せてある３本のアームを引き起こし、（５）アームはケーブルセット状態で上部が回転の中心からやや外側に傾いているので、引き出すと同時に上昇しながらケーブルが出てくる。又、出過ぎた電線を、（５）アーム３本のうち１本を軸に手のひらを当て回転することによって容易に巻き戻すことが出来る。
【００１２】  さらに本考案の電線引き出し装置においては、（６）回転盤の上に正方形の（２）網皿上を取り付けることによって電線を受ける能力は、（２）網皿上の対角の寸法まで受ける事が可能で、収納スペースは（６）回転盤の直径以上の幅で収まる。尚且つ（２）網皿上は、格子状の網なので、４角どこでも引っ掛け、吊るすことが出来る
【００１３】  さらに本考案の、電線引き出し装置においては、（３）網皿下は、ケーブルが少なくなり軽量になった場合、状況によって（１）電線リールが移動するのを防ぐため、紐などで容易に固定することが出来る。さらに（２）網皿上の４角には（７）ケーブル端末ホルダーを取り付けることによってパッケージ無しのケーブル等の端末を固定して巻き崩れを防ぐ事が出来る
【符号の説明】
【００１４】    （１）電線リール
（２）網皿上（電線受け）
（３）網皿下
（４）アームホルダー
（５）アーム
（６）回転盤
（７）ケーブル端末固定ホルダー（網皿下各角４箇所）
【図１】
0003155425.tif 000003
【図２】
0003155425.tif 000004
【図３】
0003155425.tif 000005
【手続補正書】
【提出日】平成21年8月20日(2009.8.20)
【手続補正１】
【補正対象書類名】実用新案登録請求の範囲
【補正対象項目名】請求項１
【補正方法】変更
【補正の内容】
【請求項１】
電線を網皿上に乗せ、寝せてある３本のアームを引き起こし、アームはケーブルセット状態で、上部が回転の中心からやや外側に傾いており、引き出すと同時に上昇しながらケーブルが出てくるようにした電線引き出し装置。
(57)【要約】      （修正有）【課題】管体とフレキシブルホ−スの連結において、高圧力の荷重がかかっても連結部分からの漏水を防止し、離脱破損しない継手締付け保持構造体を提供する。【解決手段】両端の嵌合突起部３を嵌入し、支持ピン２を嵌入溝に差し入れ、凹溝にフレキシブルホ−スの弛みを逃がしながら、ナット８で堅固に締め付けて継手締付け保持構造体を構成する。【選択図】図１
0003155422.tif 000002
【実用新案登録請求の範囲】
【請求項１】
バンド本体の両端に、各々奇数と偶数の突起を設け嵌入させ、締付けボルトとナットで締付け固定することを特徴とする継手締付け保持構造体。
【請求項２】
内面に、フレキシブルホ−スの弛み皺を逃がす凸溝と凹溝を交互に設けたことを特徴とする請求項１記載の継手締付け保持構造体。
【考案の詳細な説明】
【技術分野】
【０００１】  この考案は、水中ポンプで揚水し排水する作業において、管体とフレキシブルホ−スの連結を、高圧力排水の過酷条件にも離脱破損しない継手締付け保持構造体に関するものである。
【背景技術】
【０００２】  従来、針金で複数箇所に巻き付けてペンチなどの挟み工具で捩り締めしていた。又、金属細幅バンドを巻き付けネジをドライバ−で締めていた。
【考案の開示】
【考案が解決しようとする課題】
【０００３】  そのために次のような問題点があった。
針金で２〜３箇所の複数箇所を締め付ける作業性の複雑さ、更にフレキシブルホ−スを線状で圧迫するために捩れが生じ、フレキシブルホ−スが欠損した。又、高水圧に耐える密封性能が得られず、建築現場でのやり直し作業に熟練や時間を要するものであった。本考案は以上の問題点を解決するためになされたものである。
【課題を解決するための手段】
【０００４】  本考案は、幅広い面体で接触し嵌合突起部を嵌入し、簡単作業で締付けボルトをナットで堅固に締め付ける。締付けによるフレキシブルホ−スの弛みは、内面に設けられた凹溝と凸溝によって逃がし、管体とフレキシブルホ−スの密着性を高め、高圧力排水の過酷条件にも離脱破損しないものである。
【考案の効果】
【０００５】  よって、建築現場での取り付け作業に熟練も要せず、時間も短縮できる管体接合構造を提供できるものである。更に取外しも簡単にでき、再利用が可能でコスト的にも安価になる。
【考案を実施するための最良の形態】
【０００６】  以下本考案の実施の形態について説明する。
バンド本体１は支持ピン２を支点として円弧状になり、両端の嵌合突起部３を互いに嵌入させる。次に、締付けボルト５を嵌入溝４に差し入れてナット８で堅固に締め付ける。
【実施例】
【０００７】  （１）締付け加圧によるフレキシブルホ−ス破損保護のために、内面部分にゴム板又は軟質樹脂板を張り付ける。
（２）凸溝部分に更に細凸状突起を設けた２段凸溝として、締付け先端圧力を堅固にする。
【図面の簡単な説明】
【０００８】
【図１】本考案の斜視図
【図２】本考案の展開斜視図
【図３】本考案の実施斜視図
【符号の説明】
【０００９】１    バンド本体
２    支持ピン
３    嵌合突起部
４    嵌入溝
５    締付けボルト
６    角座金
７    丸座金
８    ナット
９    凹溝
１０  凸溝
１１  管体
１２  フレキシブルホ−ス
【図１】
0003155422.tif 000003
【図２】
0003155422.tif 000004
【図３】
0003155422.tif 000005
(57)【要約】      （修正有）【課題】２枚の金属板を強固に接合する製造装置を提供する。【解決手段】絞りパンチと絞りダイスを設け、２枚の金属板に穴を開けず、油圧シリンダーで絞りパンチを上から押し、下の絞りダイスの中に食い込ませ、金床に２枚の上の金属と下の金属を圧着、かしめ、２枚の金属は押し出され強固に接合され角ダクトを製作する上で気密性が確保できる。【選択図】図１
0003155407.tif 000002
【実用新案登録請求の範囲】
【請求項１】
リベット材を使わず、スポット溶接も用いずに、２枚の金属かしめ圧着接合する機構で、実用新案登録請求の範囲第１項記載の金属板の接合製造装置
【考案の詳細な説明】
【技術分野】
【０００１】本考案は、２枚の金属板接合製造装置である。
【背景技術】
【０００２】空調角ダクト製作では、２枚の金属を接合させる方法として、スポット溶接やリベット止め等がある。
【考案の開示】
【考案が解決しょうとする課題】
【０００３】空調角ダクト製作では、スポット溶接の強度が不足の上、亜鉛鉄板のメッキ部分が焼け溶けてしまい、後処理が必要になる。下穴を開けリベットかしめ機等でかしめる時、リベットと２枚の金属の隙間から空気がもれ、気密性が保てない場合がある。
【課題を解決するための手段】
【０００４】本考案は絞りパンチと絞りダイスを設け、２枚の金属板に、油圧シリンダーで絞りパンチを上から押し、下の絞りダイスの中に食い込ませ、金床に２枚の上の金属と下の金属を圧着、かしめ、２枚の金属は外側に押し出され強固に接合される。
【考案の効果】
【０００５】上述の様に本考案の装置を使用し、空調角ダクト製作でアングルと亜鉛鉄板等を接合する場合、スポット溶接の様に焼ける事がないので後処理がいらない、又リベット止めの様に下穴を開けず、リベットを使わないので、経済的に良い事と、ダクト内の気密性が増す利点がある。
【考案の実施するための最良の形態】
【０００６】空調角ダクトの製作上、２つの角ダクトを繋ぐ場合両端にアングルフランジで取り付けダクトを繋いでいます。その工程でアングル、亜鉛鉄板両板を接合するのに、本考案の装置を使用するのが最適である。
【実施例】
【０００７】以下、添付図面に従って一実施例を説明する。［図４］の１ａと２ａは１組の角ダクトである。この１ａと２ａはアングルと亜鉛鉄板を本考案の装置で接合した図である。これを３ａのアングルフランジ部分と２ａアングルフランジ部分に穴を開け螺子止めでフランジ同士を締結し、その隙間はパテ、接着材等で繋げて行きダクトを製作しています。
【図面の簡単な説明】
【０００８】
【図１】本考案である６上の金属板と、７下の金属板に、１絞りパンチで２絞りダイスに食い込みさせ圧着接合し終えた部分拡大正面図
【図２】金属板の接合を成り立たす為、１絞りパンチを６上の金属板と７下の金属板に食い込ます。前段階の部分拡大正面図
【図３】本考案の接合製造装置の全体図
【図４】ダクトの全体図
【図５】図６のＡ部拡大図
【図６】アングルフランジ接合部位置図
【符号の説明】
【０００９】１    絞りパンチ
２    絞りダイス
３    金床（アンビル）
４    金床ブラケット
５    Ｏリング
６    上の金属
７    下の金属
８    パンチガイドブッシュ
９    シリンダーブラケット
１０  Ｌ型ブラケット
１１  シリンダー
１ａ  亜鉛鉄板
２ａ  アングルフランジ
３ａ  アングルフランジ
Ａ部
【図１】
0003155407.tif 000003
【図２】
0003155407.tif 000004
【図３】
0003155407.tif 000005
【図４】
0003155407.tif 000006
【図５】
0003155407.tif 000007
【図６】
0003155407.tif 000008
【手続補正書】
【提出日】平成20年7月16日(2008.7.16)
【手続補正１】
【補正対象書類名】実用新案登録請求の範囲
【補正対象項目名】全文
【補正方法】変更
【補正の内容】
【実用新案登録請求の範囲】
【請求項１】
絞りパンチ１及びパンチガイドブッシュ８を、シリンダー１１によって、下降させパンチガイドブッシュ８と絞りダイス２の間に上の金属６及び下の金属７を押えて、絞りパンチ１が上の金属６及び下の金属７を絞りダイス２の中に円形状に押し出し、金床（アンビル）３に突き当たり圧着させ、図５の様な形状に、圧着接合させる機構。以上のごとく構成された金属板の接合製造装置。
【手続補正書】
【提出日】平成20年11月4日(2008.11.4)
【手続補正１】
【補正対象書類名】実用新案登録請求の範囲
【補正対象項目名】全文
【補正方法】変更
【補正の内容】
【実用新案登録請求の範囲】
【請求項１】
〔図１〕に有る様に２枚の金属を強固に圧着接合し、高度の気密性を保持する接合構造であり、絞りパンチ１及びパンチガイドブッシュ８を、シリンダー１１によって圧力をかけ下降させ、パンチガイドブッシュ８と絞りダイス２の間に上の金属６及び下の金属７を押えて、絞りパンチ１が上の金属６及び下の金属７を絞りダイス２の中に円形状に押し出し、金床（アンビル）３に突き当たり、上の金属６及び下の金属７の、２枚の金属に対して垂直に突き出た側周部と、２枚の金属に対して平行する放射方向の外の方に張出す様に厚さ方向に圧着成形した突起形状を有する、金属板の接合製造装置。
【手続補正書】
【提出日】平成21年3月6日(2009.3.6)
【手続補正１】
【補正対象書類名】実用新案登録請求の範囲
【補正対象項目名】全文
【補正方法】変更
【補正の内容】
【実用新案登録請求の範囲】
【請求項１】
２枚の金属を強固に圧着接合し、高度の気密性を保持する接合構造であり、絞りパンチ１及びパンチガイドブッシュ８を、シリンダー１１によって圧力をかけ下降させ、パンチガイドブッシュ８と絞りダイス２の間に上の金属６及び下の金属７を押えて、絞りパンチ１が上の金属６及び下の金属７を絞りダイス２の中に円形状に押し出し、金床（アンビル）３に突き当たり、上の金属６及び下の金属７の、２枚の金属に対して垂直に突き出た側周部と、２枚の金属に対して平行する放射方向の外の方に張出す様に厚さ方向に圧着成形した突起形状を有する金属板の接合製造装置。
【手続補正書】
【提出日】平成21年6月24日(2009.6.24)
【手続補正１】
【補正対象書類名】実用新案登録請求の範囲
【補正対象項目名】全文
【補正方法】変更
【補正の内容】
【実用新案登録請求の範囲】
【請求項１】
Ｌ型ブラケット１０上部に、シリンダーブラケット９及びシリンダー１１を設け、シリンダー１１のピストンロッド（軸）先端部に、パンチガイドブッシュ８及び絞りパンチ１を設け、その下部Ｌ型ブラケット１０に、絞りダイス２及び金庄（アンビル）３及び金庄ブラケット４を設け構成された、２枚の金属板の接合製造装置。
(57)【要約】      （修正有）【課題】周辺皮膚の接触、特にあふれ出た液体の接触を減らして、安全性能を向上させたコンドームを提供する。【解決手段】該安全性の高いコンドームは、弾力性高いコンドーム本体１、当コンドーム本体の上口に付いているスカートレース２を含んで形成し、当スカートレースは環状でも、円錐台の側面形でも、しわ付きでもよい。【選択図】図１
0003155406.tif 000002
【実用新案登録請求の範囲】
【請求項１】
安全性高いコンドームであって、その構成はコンドーム本体を含んでおり、前記本体は、上口にスカートレースが付いていることを特徴とするコンドーム。
【請求項２】
前記スカートレースの外縁部にはセッティング糸があることを特徴とする請求項１に記載のコンドーム。
【考案の詳細な説明】
【技術分野】
【０００１】
当実用新案はある防護レース付きのコンドームに関わっていることである。
【背景技術】
【０００２】
エイズは主に性行為を通じて伝染するので、特に公共特徴のある性行為が主な伝播ルートになっているため、どのように公共行為の安全を保証するかは、社会の関心を寄せた問題になった。現在のコンドームの主な機能は避妊という任務を完成し、意外妊娠を防止して、一定のシール長を通じて、精液が女性の子宮頸内に入ることを防止することである。利用の時、双方は皮膚の接触、特にある程度での液体接触を免れられないから。
【考案内容】
【０００３】
当実用新案の目的は周辺皮膚の接触、特にあふれ出た液体の接触を減らして、安全性能を向上させる安全性高いコンドームを提供することである。
【０００４】
以上の目的は下記の技術方案を通じて実現する。
【０００５】
安全性高いコンドームについては、その構成はコンドーム本体、本体の上口に付いているスカートレースを含んでいる。
【０００６】
当安全性高いコンドームはそのスカートレースの外側にセッティング糸が付いている。
【０００７】
当技術方案は以下の有利な効果がある。
【０００８】
１．当製品にはスカートレースが付いているので、利用の時、注意して、そして他の部位に対して服装などを通じて保護すれば、完全に両性の皮膚接触を免れることができ、性行為中で分泌した液体に対して良好な隔離の役割を果たして、有効的にエイズと他の接触性性病の伝播を予防・治療できる。
【０００９】
２．当製品の周辺にはセッティング糸が付いていて、ふだんぐるぐる巻き上げられて、占用空間が小さくなり、利用の時弾力性を通じて弾き開いて、それによってスカートレースを開いて、わりに大きい環状を成している。
【００１０】
３．装飾性と良好な商業性効果を持つだけでなく、性衛生に対して著しく推進する役割を果たしている。
【図面の簡単な説明】
【００１１】
【図１】図１は当製品の構造説明図である。
【図２】図２は図１の俯瞰図である。
【図３】図３は未使用時の巻き状態の説明図である。
【具体的な実施方式】
【００１２】
〔実施実例１〕
安全性高いコンドームについては、その構成は従来の弾力性高いコンドーム本体１、当コンドーム本体の上口に付いているスカートレース２を含んで、当スカートレースは環状でも、円錐台の側面形でも、しわ付きでもいい。
【００１３】
〔実施実例２〕
実例１の安全性高いコンドームは、そのスカートレースの外側にセッティング糸３がある。当セッティング糸は金糸でも、弾力性高い高分子糸でもいい。
【図１】
0003155406.tif 000003
【図２】
0003155406.tif 000004
【図３】
0003155406.tif 000005
(57)【要約】      （修正有）【課題】持ち運ぶ図面または書類または写真などの持ち運び時のサイズを小さくする際折り曲げ、元のサイズの半分のサイズにしても、その折曲げ部分に折り目が付かないファイルを提供する。【解決手段】ファイルの背の部分中央に半円状の中が中空になっているガイドを取りつけ、その中空部分に、図面または書類または写真などを通す。【選択図】図１
0003155418.tif 000002
【実用新案登録請求の範囲】
【請求項１】
ファイルの背の部分に中空の図面または写真または書類などを通す部分（ガイド）を設け、その中に図面または書類または写真などを通すことにより、当該の図面または書類または写真などを、折り目をつけずに、実物の半分のサイズで持ち運びができるファイル。
【請求項２】
ファイルの背の部分に、半円状の中空の部分（ガイド）を設け、その中空部分に中空の図面または写真または書類などを通すだけの簡素な仕組みのため、穴を開けたりして収納する従来のファイルのように、内容物を傷つけることがない。
【請求項３】
ファイルの背の部分の形状はそのままにサイズ、材質を変えることにより、大きい図面または写真または書類など、から小さい図面または写真または書類などに対応できるため、製品化した際に同じ形で、大小のレパートリーが作れ、使用者に印象付けしやすい。
【考案の詳細な説明】
【技術分野】本発明は、図面または写真または書類など、持ち運ぶ際に折り目が付くことが不適当なものを、折り目をつけずに、半分のサイズにして容易に持ち運べるものである。
【背景分野】
現存するファイルで図面または写真または書類などをサイズを小さくして持ち運ぼうとすると折り曲げて収納するしかなく、図面または写真または書類などに折り目が付いてしまう。
【考案の概要】
【考案が解決しようとする課題】持ち運ぶ図面または写真または書類などの持ち運び時のサイズを小さくする際、折り曲げても、その折曲げ部分に折り目が付かないようにする。
【課題を解決するための手段】ファイルの背の部分中央に内部が中空になった半円状のガイドを取りつけ、その中を図面または写真または書類などを通すことにより、持ち運び時のサイズを折り目が付かず、もとのサイズの半分にできる。
【考案の効果】筒に入れて持ち運んでいたような大きな図面または写真または書類を、実物の半分のサイズで折り目をつけずに持ち運びできる。また、ＯＣＲシートなど、折り曲げが不適な図面または写真または書類などを、実物の半分のサイズで折り目をつけずに持ち運びできる。また、公的書類などの主流サイズであるＡ４サイズのものを、半分のＡ５サイズで折り目をつけずに持ち運ぶことが出来るため、より小さいかばんなどに収納できる。また、背の部分のガイド中空部分が、図面または写真または書類などを通すだけの簡素な仕組みのため、内容物を傷、折り目をつけずに持ち運びができる。
【図面の簡単な説明】
【図１】ファイル全体の形状を現す斜視図である。
【図２】ファイル内部の構造がわかる斜視断面図である。
【図３】ファイルの背の部分に図面または写真または書類などを折り目が付かずに収納されていることを示した、側面図である。
【図４】ファイルの背の部分に図面または写真または書類などを折り目が付かずに収納されていることを示した斜視断面図である。
【考案を実施するための形態】
半円状で中空のプラスチックまたは金属または樹脂などの中空部分の形状が維持できる強度を持った材質でできたガイドを背の部分に設け、図面または写真または書類などを中空部分内部に通し、折目が付かないように保護する形状のファイル。
【実施例】現在、公的書類の主流であるＡ４サイズの図面または書類または写真などを半分のＡ５サイズにして持ち運びができる。また、折り曲げが不適なＯＣＲシートなども、このファイルを用いることにより、折り目をつけず半分のサイズで持ち運びができる。
【符号の説明】１  図面または写真または書類などを通す、中空部分である。
２  図面または写真または書類などを保護する、表紙、裏表紙である。
３  ガイド部分の半径、中空部分の幅、高さは、挿入する図面または写真または書類などの大きさ、厚さ数量によって、設定できる。
４  点線は内部に収納する、図面または写真または書類などをあらわす。
【図１】
0003155418.tif 000003
【図２】
0003155418.tif 000004
【図３】
0003155418.tif 000005
【図４】
0003155418.tif 000006
【手続補正書】
【提出日】平成21年8月13日(2009.8.13)
【手続補正１】
【補正対象書類名】実用新案登録請求の範囲
【補正対象項目名】全文
【補正方法】変更
【補正の内容】
【実用新案登録請求の範囲】
【請求項１】
ファイルの背の部分に中空の図面または写真または書類などを通すガイドを設け、その中に図面または書類または写真などを通すことにより、当該の図面または書類または写真などを、折り目をつけずに、実物の半分のサイズで持ち運びができるファイル。
【請求項２】
ファイルの背の部分に、半円状の中空のガイドを設け、その中空部分に図面または写真または書類などを通すだけの簡素な仕組みのため、穴を開けたりして収納する従来のファイルのように内容物を傷つけることがない請求項１記載のファイル。
【請求項３】
ファイルの背の部分の形状はそのままにサイズ、材質を変えることにより、大きい図面または写真または書類など、から小さい図面または写真または書類などに対応できるため、製品化した際に同じ形で、大小のレパートリーが作れ、使用者に印象付けしやすい請求項１記載のファイル。
(57)【要約】      （修正有）【課題】電線・メッセンジャーワイヤーなどの、繰り出し作業の際、ドラムの過回転を防ぐため、ドラムにブレーキをかけるブレーキ装置を提供する。【解決手段】ドラムと装置を一体化し、線出の際のドラム架台と本装置を固定しその回転力に対して、ブレーキ板の摩擦の調整により、適度なブレーキをかける。線出しの架台に本装置を固定し、その反対側をドラムのボルト部に固定する。ドラムの回転を、本装置の中間部にあるブレーキ部にねじで押えつける加減によってドラムのカラ回転、逆転を防止するブレーキをかける事が出来る。【選択図】図１
0003155419.tif 000002
【実用新案登録請求の範囲】
【請求項１】
（イ）ドラム固定部（ロ）ブレーキ板入り調整リング部（ハ）架台固定部
以上のごとく構成されたドラムブレーキ装置
【考案の詳細な説明】
【技術分野】
【０００１】ねじ部の移動とブレーキ板の挟み込みによりドラムにブレーキをかける。
【背景技術】
【０００２】木製ドラムを挟み込む、ドラムの淵に摩擦を与える等によりブレーキをかける。
【考案の開示】
【考案が解決しようとする課題】
【０００３】木製ドラムの場合、摩耗による変形（淵の割れ、ドラムの細り等）のためブレーキが効きにくい場合が起こっていた。
ドラムがプラスチック製になったため、滑ってブレーキが掛かりにくくなった。
【課題を解決するための手段】
【０００４】回転運動はドラムの左右を繋ぐボルト部より取り、回転軸と同一化する。
ブレーキ部に特殊ブレーキ板を使用することにより、確実な制動が得られる。
【考案の効果】
【０００５】ねじ調整により、必要最低限のブレーキ力を、簡単に得られる。
【考案を実施するための最良の形態】
【０００６】ドラムと線出しの架台の間で、本製品を使用する。
線出しの架台に本製品を固定する。本製品反対側をドラムのボルト部に固定する。
ドラムの回転を、本製品の中間部にあるブレーキ部にねじで押えつける加減によってドラムのカラ回転、逆転を防止するブレーキをかける事が出来る。
【図面の簡単な説明】
【図１】２．線出機にブレーキ装置をセットする。位置関係を確認して合わせ、１．止めボルトを締める  １６．ドラムに９．駆動板を固定する。４．圧力調整ネジとハンドルでブレーキ力を調整する
【符号の説明】
【図１】
0003155419.tif 000003
【図２】
0003155419.tif 000004
【手続補正書】
【提出日】平成21年8月17日(2009.8.17)
【手続補正３】
【補正対象書類名】実用新案登録請求の範囲
【補正対象項目名】全文
【補正方法】変更
【補正の内容】
【実用新案登録請求の範囲】
【請求項１】
（イ）ブレーキ板入り調整リング部（ロ）架台固定部をドラム軸を介して、構成されたドラムブレーキ装置
【手続補正４】
【補正対象書類名】明細書
【補正対象項目名】全文
【補正方法】変更
【補正の内容】
【考案の詳細な説明】
【技術分野】
【０００１】ねじ部の移動とブレーキ板の挟み込みによりドラムにブレーキをかける。
【背景技術】
【０００２】木製ドラムを挟み込む、ドラムの淵に摩擦を与える等によりブレーキをかける。
【考案の開示】
【考案が解決しようとする課題】
【０００３】木製ドラムの場合、摩耗による変形（淵の割れ、ドラムの細り等）のためブレーキが効きにくい場合が起こっていた。ドラムがプラスチック製になったため、滑ってブレーキが掛かりにくくなった。
【課題を解決するための手段】
【０００４】回転運動はドラムの左右を繋ぐボルト部より取り、回転軸と同一化する。ブレーキ部に特殊ブレーキ板を使用することにより、確実な制動が得られる。
【考案の効果】
【０００５】ねじ調整により、必要最低限のブレーキ力を、簡単に得られる。
【考案を実施するための最良の形態】
【０００６】ドラムと線出しの架台の間で、本製品を使用する。線出しの架台に本製品を固定する。本製品反対側をドラムのボルト部に固定する。ドラムの回転を、本製品の中間部にあるブレーキ部にねじで押えつける加減によってドラムのカラ回転、逆転を防止するブレーキをかける事が出来る。
【図面の簡単な説明】
【０００７】
【図１】線出機（ケーブル繰り出し架台）に、ケーブル（ロープ）と本ブレーキ装置をセットして使用する。ブレーキ装置は線出機とケーブルドラム間で、線出機を利用して固定する。
【図２】ブレーキ装置断面図。固定板部と移動できる調整部の間に、ブレーキ板を挟み込むことによって、回転力に摩擦抵抗を与える。
【考案を実施するための形態】
上記説明による
【実施例】現在顧客（電気工事会社等）に提案中。
【産業上の利用可能性】現行ＪＲ工事会社が利用している線出装置でも、回転制御の必要があるそうです。利用品はプーリ、ベルト利用のため摩耗が激しく本製品のブレーキ装置は利用可能性ありと考えます。各電機・電話工事会社においても、大形のケーブルドラムの線出しに関して需要があると思われます。
【手続補正５】
【補正対象書類名】図面
【補正対象項目名】全図
【補正方法】変更
【補正の内容】
【図１】
0003155419.tif 000005
【図２】
0003155419.tif 000006
(57)【要約】      （修正有）【課題】濡れた手でも滑らずに開封口がつまめる滑り止めつき袋を提供する。【解決手段】収容袋のつまみ部分の両側から多数の小穴を貫通させる。【選択図】図１
0003155416.tif 000002
【実用新案登録請求の範囲】
【請求項１】
液体又は粒体の収容袋の開封用のつまみ部に多数のバリのできる小穴を貫通させる。
【請求項２】
小穴は裏表両側よりほぼ同数設ける。
【考案の詳細な説明】
【技術分野】
【０００１】  本考案は液体又は粒体の収納された袋の開封性に関するものである
【背景技術】
【０００２】  袋の開封の簡便性の向上を図ったアイデアが多く提案されていたがどれもいま少し実用的でなかった。
【先行技術文献】
【特許文献】
【０００３】
【特許文献１】  特開２００５−２４７３４８（発明を実施するための最良の形態、段落００１５および００１６，図２，３，４．）
【考案の概要】
【考案が解決しようとする課題】
【０００４】  手が濡れているときにシャンプー又はリンス等の新品を開封しようとするときに手が滑って開けずらいのを改善する考案である。
【課題を解決するための手段】
【０００５】  本考案は濡れた手でも滑らずに開封口がつまめるように多数の小穴を袋の開封つまみ部の両側から貫通させるものである。小穴はバリが出るように千枚通し状のものによる。【０００６】  本考案による多数の穴のバリの手触りで目を瞑っていても容易に切り口を探せ、また確実に切り裂くことが可能になる。
【図面の簡単な説明】
【０００７】
【図１】  当該考案の全体図である。
【図２】  図１の丸囲み部Ｚ−Ｚ’間の拡大断面図である。
【考案を実施するための形態】
【０００８】  図２に示す通り小穴３を両側より貫通させる。その抜け側にバリ（フジツボ状）４ができることにより摩擦が増える。
【実施例】
【０００９】  図１に示すとおり小穴はランダム又は数条にわたり設ける。【００１０】  両面からの穴数はほぼ同数にする。そうすることによって親指と人差し指の摩擦が同等になる。
【産業上の利用可能性】
【００１１】  こうした袋の用途の利用分野は広く、大いに活用できる。
【符号の説明】
【００１２】１  袋（本体）
２  つまみ部
３  穴
４  バリ（フジツボ状）
５  穴あけ方向
【図１】
0003155416.tif 000003
【図２】
0003155416.tif 000004
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
液体又は粒体の収容袋のつまみ部に多数のバリのできる小穴を貫通させた滑り止めつき袋である。
【請求項２】
貫通させる小穴は裏表両側よりほぼ同数設けることを特徴とする請求項１記載の滑り止めつき袋である。
(57)【要約】      （修正有）【課題】介護用器具の操作性を改善するため、便器にぶつからないで、トイレに出入りできる車椅子や腰掛け型便器と車椅子の便座を、動力を用いて密着させる装置を備えたトイレアシスト装置を提供する。【解決手段】折り畳み式の車椅子において、折り畳み部分を外し車椅子の左右を直線のバー４と曲線のバー５で固定して強度を確保し、トイレの奥まで入ることが出来るようにする。さらに、ギャーとモーターを組み合わせて水タンク３を備えた温水式便座２全体を上げ下げして腰掛け型便器と密着させられるようにする。【選択図】図１
0003155450.tif 000002
【実用新案登録請求の範囲】
【請求項１】
水タンクを備えた温水式便座を取り付けた車椅子で、腰掛け型便器にぶつからずにトイレの奥まで出入りできる、トイレアシスト。
【請求項２】
車椅子に取り付けた温水式便座をギャーとモーターで組み合わせた装置で温水式便座全体を上げ下げさせて、腰掛け型便器と密着させる装置。
【考案の詳細な説明】
【技術分野】
【０００１】  本考案は、直接トイレに出入りできる構造の車椅子と、腰掛け型便器の高さに合わせて、上下させる装置を有する水タンクを備えた温水式便座を組み合わせた、介護用器具に関するものである。
【背景技術】
【０００２】  従来の介護用車椅子では腰掛け型便器と車椅子の便座が密着しておらず尿が飛び散る問題や車椅子の操作がむずかしいものもある。
【先行技術文献】
【特許文献】
【０００３】  特開平１１−３１８９９０
【考案の概要】
【考案が解決しようとする課題】
【０００４】  従来の介護用器具の操作性や尿が飛び散る問題などを改善するため、便器にぶつからないでトイレに出入りできる車椅子の改良や腰掛け型便器と車椅子に備え付けの温水式便座をギャーとモーターを用いて密着させる装置を考案する。
【課題を解決する手段】
【０００５】  従来の折畳み式の車椅子では、折畳み部分が便器に当たってトイレの奥まで入れないので折畳み部分を外し、直線のバーと曲線バーで車椅子の左右を固定して強度を確保し、トイレの奥まで入れるよう考案した。
【０００６】  尿の飛散などがないよう、便器と車椅子の便座が密着できるようにモーターと歯車を組み合わせて便座自体を上下させる仕組みを考案した。
【考案の効果】
【０００７】  入院患者や要介護者の中で歩いてトイレに行く事ができず、しかたなくベットの周辺で排泄を行っている方が介護用トイレアシストを使用すると普通にトイレに行くことができるため、精神的な負担が軽くなることが予想される。
又、介護する人の労力や時間を軽減する効果がある。
【考案を実施するための形態】
【０００８】  本考案は、直接トイレに出入りできる構造の車椅子に、便座部分を取り外した腰掛け型便器の高さに合わせて、モーターなどで高さを調節できる水タンクを備えた温水式便座が備え付けてあるので、介助を受けずに使用できる。
使用方法は車椅子の電気プラグを電源に差し込んで便座を保温しておき、トイレに行くときは電機プラグを外してトイレに移動する。
トイレの電源に車椅子のプラグを差し込んで車椅子の便座をモーターで下げて、便器と密着させる。
排泄が終わったらトイレの水を流し、車椅子の便座機能を使って処理する。
トイレから出る時は便座を上げてトイレから出る。
そして、電源に車椅子のプラグを差し込んで使用可能な状態にしておく。
【図面の簡単な説明】
【０００９】
【図１】  本考案の前斜視図
【図２】  本考案の後斜視図
【図３】  本考案の側面図
【図４】  本考案の要部拡大図
【符号の説明】（１）車椅子、（２）温水式便座、（３）水タンク、（４）直線のバー、（５）曲線のバー、（６）モーター、（７）ギャーの部分、（８）温水式便座取り付け板、
【図１】
0003155450.tif 000003
【図２】
0003155450.tif 000004
【図３】
0003155450.tif 000005
【図４】
0003155450.tif 000006
(57)【要約】      （修正有）【課題】鼻毛等を一旦はさんでから切断し、切断した毛を散乱させずにつかんだままゴミ箱まで運ぶことを可能にしたピンセットを提供する。【解決手段】ピンセット１の一方の先端部の内側に小型のカッターの刃３とＥＶＡスポンジ４を取り付け、もう一方の先端部の内側に金属の板２を取り付けることによって、ピンセットを閉じてＥＶＡスポンジの部分で鼻毛等をはさみ、更にピンセットを閉じることによってＥＶＡスポンジが縮んで小型のカッターの刃によって鼻毛等を切断し、切断した毛をスポンジ部ではさんだままゴミ箱まで運ぶことが可能になる。【選択図】図１
0003155449.tif 000002
【実用新案登録請求の範囲】
【請求項１】
ピンセットの一方の先端部の内側に、小型のカッターの刃とＥＶＡスポンジを取り付け、もう一方の先端部の内側に金属の板を取り付けることによって、鼻毛等を一旦はさんでから切断し、切断した毛を散乱させずにつかんだままゴミ箱まで運ぶことを可能にした器具。
【考案の詳細な説明】
【技術分野】
【０００１】  本考案は、ピンセットの一方の先端部の内側に小型のカッターの刃とＥＶＡスポンジを取り付け、もう一方の先端部の内側に金属の板を取り付けることによって、鼻毛等を一旦はさんでから切断し、切断した毛を散乱させずにつかんだままゴミ箱まで運ぶことを可能にした器具に関するものである。
【背景技術】
【０００２】  従来は鼻毛等を切る時、先が丸い小型のハサミを使うか、回転式の鼻毛カッターを使用していた。
【考案の開示】
【考案が解決しようとする課題】
【０００３】  ハサミの場合は、切った毛が散乱してしまう、狙ったところをうまく切れない、鼻の中を傷つけやすいなどの欠点があった。鼻毛カッターの場合は、少しずつしか切れず切るのに時間がかかる、毛の先の方しか切れない、気になるところ・本当に切りたいところ・狙ったところがなかなか切れない、切っているという実感がなく面白みがない、１５００円程度とけっこう高価である、心棒の内刃の部分にも本体の刃溝の部分にも短い毛がたまり毎回の手入れがめんどうであるなどの欠点があった。これらの問題を解決できる器具が求められる。
【課題を解決するための手段】
【０００４】  ピンセットの一方の先端部の内側に小型のカッターの刃とＥＶＡスポンジを取り付け、もう一方の先端部の内側に金属の板を取り付けることによって、ピンセットを閉じてＥＶＡスポンジの部分で鼻毛等をはさみ、更にピンセットを閉じることによってＥＶＡスポンジが縮んで小型のカッターの刃によって鼻毛等を切断し、切断した毛をスポンジ部分ではさんだままゴミ箱まで運ぶことを可能にする。
【考案の効果】
【０００５】  鼻毛等をスポンジ部分ではさんでから、スポンジに接している刃で鼻毛等を切り落とすため、切った毛が散乱しない、鼻の中を傷つけにくい、ある程度まとまって切れる、気になるところ・本当に切りたいところ・狙ったところが切れる、機材の手入れがほとんど必要ないなどの多くの利点がある。
また、毛をはさんだ時に指や皮膚に引っ張りの感触が生じたり、切り落とす時に音がしたり引っ張りの感触が生じたりするため、切っているという実感がわいて面白いという利点もある。
また、刃がスポンジで保護された形になっているため、普段の取扱いにおいても安全であると言える。
【考案を実施するための最良の形態】
【０００６】  ＥＶＡスポンジの高さに比べて、刃の高さの方が高いとうまくつかめず、刃の高さの方が低いとうまく切れないため、ＥＶＡスポンジと刃の高さはほぼ同じにする（図１、図３）。
【実施例】
【０００７】  切った後の毛が散乱しないように、刃がついている方を毛の根元側に、スポンジがついている方を毛の先端側にして切断する。ピンセットの先端に近い部分を指でもった方が、より正確に力強く切断できる。
【図面の簡単な説明】
【０００８】
【図１】ピンセットの先端部
【図２】刃とスポンジがついた先端部（ビンセットの内側から見た図）
【図３】刃とスポンジがついた先端部（ビンセットの前方から見た図）
【図４】金属板がついた先端部（ビンセットの内側から見た図）
【符号の説明】
【０００９】  １  ピンセット本体
２  金属板
３  小型のカッターの刃
４  ＥＶＡスポンジ
５  刃を支える支え
【図１】
0003155449.tif 000003
【図２】
0003155449.tif 000004
【図３】
0003155449.tif 000005
【図４】
0003155449.tif 000006